(57)【要約】【課題】  本発明は、建築物の屋上やベランダに設置し、植物を栽培することができ、その上を人が歩行したり、車椅子で走行しても凹みが発生せず、歩行性及び車椅子の走行性のよい植物栽培用コンテナを提供する。【解決手段】略矩形の底壁１１の周囲に側壁１２が立設され、上方が開放されている容器状の収納部１３を有し、底壁１１の下面に脚部１９が形成されているコンテナ本体１と、収納部１３に収納されている中敷部材４よりなる植物栽培用コンテナであって、前記中敷部材４は、複数の中敷単位体５が、その側面同士が互いに接続されてなり、該中敷単位体５は、略矩形であって、その一辺に対し平行な複数の凸条５１が形成されると共に、相隣り合う凸条５１の側壁同士の間に連設して凸部５３、５４が形成されていることを特徴とする植物栽培用コンテナ。【選択図】  図３
2005130749.tif 000002
【特許請求の範囲】
【請求項１】
略矩形の底壁の周囲に側壁が立設され、上方が開放されている容器状の収納部を有し、
底壁の下面に脚部が形成されているコンテナ本体と、収納部に収納されている中敷部材よ
りなる植物栽培用コンテナであって、前記中敷部材は、複数の中敷単位体が、その側面同
士が互いに接続されてなり、該中敷単位体は、略矩形であって、その一辺に対し平行な複
数の凸条が形成されると共に、相隣り合う凸条の側壁同士の間に連設して凸部が形成され
ていることを特徴とする植物栽培用コンテナ。
【請求項２】
凸条と凸部の頭部には平坦部が形成され、その高さは略同一であることを特徴とする請
求項１記載の植物栽培用コンテナ。
【請求項３】
凸条と隣り合う凸条の間の谷部に複数の貫通孔が穿設されていることを特徴とする請求
項１又は２記載の植物栽培用コンテナ。
【請求項４】
中敷単位体は、周囲に平坦部を有し、平坦部の端部に周壁部が立設されていることを特
徴とする請求項１、２又は３記載の植物栽培用コンテナ。
【請求項５】
中敷単位体の周囲の平坦部に、平面視で、突部と嵌合部が交互に形成されており、中敷
部材は、隣り合う中敷単位体の突部と嵌合部を嵌合して接続されていることを特徴とする
請求項４記載の植物栽培用コンテナ。
【請求項６】
中敷部材は、複数の中敷単位体が、隣り合う中敷単位体に形成された凸条同士が互いに
直交するように接続されていることを特徴とする請求項１〜５のいずれか１項記載の植物
栽培用コンテナ。
【請求項７】
底壁は傾斜されており、底壁の最低部に排水口が穿設されていることを特徴とする請求
項１〜６のいずれか１項記載の植物栽培用コンテナ。
【請求項８】
中敷部材と底壁の間に、土壌流出防止用のフィルターが積層されていることを特徴とす
る請求項１〜７のいずれか１項記載の植物栽培用コンテナ。
【発明の詳細な説明】
【技術分野】
【０００１】
本発明は、建築物の屋上に設置し、建築物の屋上やベランダで芝生等の植物を栽培する
ための植物栽培用コンテナに関する。
【背景技術】
【０００２】
従来から、都市部においては緑化対策として、建築物の屋上やベランダの利用が検討さ
れており、例えば、建築物の屋上やベランダの上に防水シートや防根シートを敷き、モル
タル加工したり合成樹脂板を敷き詰めた後、その上に土壌を積層して植物を栽培していた
。
【０００３】
しかし、上記方法では植物の根が成長すると、防水シートや防根シートを通り抜け屋上
やベランダに到達し、屋上やベランダのコンクリ−トに浸入して建築物に水漏れをおこす
という欠点があった。又、上記方法では、施工や補修に時間とコストがかかるという欠点
があった。
【０００４】
最近、上記欠点を解消するため、植物栽培用容器を敷き詰めた植物栽培装置が提案され
ている。例えば、ビルの屋上、ベランダ等の建物床上等に植物栽培用の土床を一定範囲に
亘って形成する際に適用され、前記土床をその下方から支持する複数の相互に連結された
薄箱状の容器ユニットからなる植物栽培装置であって、前記各容器ユニットは、前記土床
の支持範囲を画する周枠と、この周枠の下端から下方に向かって緩やかな角度で下降傾斜
し、前記周枠の下方全範囲を閉塞するとともに、その下端位置に水抜き孔を有する底壁と
、この底壁の上面に複数のリブを介して前記周枠内で水平に配置され、前記土床を下方か
ら支持する通水可能な土床支持板と、前記底壁の前記水抜き孔に設けられた防根用の蓋体
と、前記底壁の下面複数箇所から垂下し、前記建物床上等に固定載置される支持脚とを備
えたことを特徴とする植物栽培装置が提案されている（例えば、特許文献１参照。）。
【特許文献１】特開２００２−２５３０５２号公報
【０００５】
しかし、上記植物栽培装置においては、薄箱状の容器ユニットに土壌を充填するのであ
るから、土壌層は薄く、堅くならないので、その上を歩行するのには適していなかった。
例えば、植物栽培装置を病院の屋上に設置し、芝生を植えて患者の歩行や車椅子による散
歩に供した場合、凹みが発生し歩行や車椅子の走行が困難になるという欠点があった。
【発明の開示】
【発明が解決しようとする課題】
【０００６】
本発明の目的は、上記欠点に鑑み、建築物の屋上やベランダに設置し、植物を栽培する
ことができ、その上を人が歩行したり、車椅子で走行しても凹みが発生せず、歩行性及び
車椅子の走行性のよい植物栽培用コンテナを提供することにある。
【課題を解決するための手段】
【０００７】
本発明の植物栽培用コンテナは、略矩形の底壁の周囲に側壁が立設され、上方が開放さ
れている容器状の収納部を有し、底壁の下面に脚部が形成されているコンテナ本体と、収
納部に収納されている中敷部材よりなる植物栽培用コンテナであって、前記中敷部材は、
複数の中敷単位体が、その側面同士が互いに接続されてなり、該中敷単位体は、略矩形で
あって、その一辺に対し平行な複数の凸条が形成されると共に、相隣り合う凸条の側壁同
士の間に連設して凸部が形成されていることを特徴とする。
【０００８】
上記コンテナ本体は、略矩形の底壁の周囲に側壁が立設され、上方が開放されている容
器状の収納部を有し、底壁の下面に脚部が形成されている。
【０００９】
底壁の平面形状は略正方形又は略長方形の略矩形であり、略正方形であるのが施工性が
よいので好ましい。又、底壁は平坦であっても傾斜されていてもよいが、植物栽培用コン
テナに散布された水を適切に排出できるように傾斜されているのが好ましく、水を排出す
る排水口が底壁の最も低い位置に穿設されているのが好ましい。
【００１０】
特に、底壁の中心部が最低部になるように、底壁の周囲から中心部に向かって次第に低
くなっており、中心部に排水口が穿設されているのが好ましい。この場合、中敷部材を保
持するために、上面が同一高さになるようにリブが立設されてもよい。
【００１１】
上記リブとしては、例えば、中心部から周囲に向かって放射状に立設されたリブ、中心
部を中心に同心円状に立設された複数の円筒状リブ、中心部を中心に同心状に立設された
複数の角筒状リブ等が挙げられる。尚、円筒状リブ及び角筒状リブには、排水のための貫
通孔又は切り欠きが設けられているのが好ましい。
【００１２】
底壁の周囲に側壁が立設され、上方が開放されている容器状の収納部が形成されている
が、側壁は底壁の周囲に垂直に立設されていてもよいし、底壁の周囲に湾曲して立設され
ていてもよい。又、側壁は上部へ行くほど開口面積が広くなるように、一つ又は複数の段
部が形成されていてもよい。更に、側壁の内外面に補強のためのリブが形成されていても
よい。
【００１３】
底壁の下面に形成されている脚部は、植物栽培用コンテナと植物栽培用コンテナの施工
場所（例えば、建築物の屋上）との間に空間を形成し、空気を流通を可能にし、配水管の
設置を可能にするものであり、その形状は従来公知の任意の形状が可能であり、例えば、
円柱状、角柱状等の柱状体、円筒状、角筒状等の筒状体等が挙げられる。
【００１４】
上記コンテナ本体の平面大きさは、特に限定されないが、大きくなると収納部に充填す
る土壌の荷重が大きくなり、コンテナ本体の肉厚を厚くしなければならず、重量が重く取
り扱いが困難になると共にコストが高くなり、逆に小さくなると、一定面積の施工に沢山
の植物栽培用コンテナが必要になるので、縦横共に４０ｃｍ〜８０ｃｍが好ましい。
【００１５】
上記中敷部材は、コンテナ本体の収納部に収納され、コンテナ本体の収納部に土壌を充
填し、その上を人が歩いたり、車椅子で走行した際に土壌が凹まないようにするための、
いわば補強材であり、複数の中敷単位体がその側面同士が互いに接続されて、コンテナ本
体の収納部に収納しうるように略矩形に形成されている。
【００１６】
中敷単位体は、略矩形であって、その一辺に対し平行な複数の凸条が形成されると共に
、相隣り合う凸条の側壁同士の間に連設して凸部が形成されている。
【００１７】
中敷単位体には、その一辺に対し平行な複数の凸条が形成されている。凸条は中敷単位
体の一端部付近から他端部付近まで連続して形成されているのが好ましく、凸条と凸条の
間に平坦部が存在するように間隔を開けて形成されているのが好ましい。又、凸条と凸条
の間に水を排水するための貫通孔が複数穿設されているのが好ましく、平坦部がある場合
は平坦部に水を排水するための貫通孔が複数穿設されているのが好ましい。
【００１８】
凸条の形状は、特に限定されず、例えば、半円柱状、三角柱状、四角柱状、台形柱状等
が挙げられるが、凸条の頭部に平坦部が形成されていると、歩行性や走行性が優れている
ので好ましく、且つ、機械的強度が高く、成形しやすい台形柱状が好ましい。又、１枚の
中敷単位体に３〜１０個の凸条が形成されているのが好ましい。
【００１９】
複数の凸条だけが形成された中敷単位体は、凸条の長さ方向の曲げに対しては強いが、
凸条の幅方向の曲げには弱く容易に撓んでしまうので、その補強のために凸部が相隣り合
う凸条の側壁同士の間に連設して形成されている。
【００２０】
凸部の形状は、特に限定されず、例えば、円錐状、角錐状、円柱状、角柱状、円錐台状
、角錐台状等が挙げられるが、凸部の頭部に平坦部が形成されていると、歩行性や走行性
が優れているので好ましく、且つ、機械的強度が高く、成形しやすい円錐台状及び角錐台
状が好ましい。又、隣り合う凸条と凸条の間に１〜５個の凸部が形成されているのが好ま
しい。
【００２１】
凸条と凸部の頭部には平坦部が形成され、その高さが略同一であると、歩行性や走行性
が優れているので好ましい。又、凸条と隣り合う凸条の間の谷部に複数の貫通孔が穿設さ
れていると、排水がスムーズになるので好ましい。さらに、凸条及び凸部の頭部に平坦部
が形成されている場合は、平坦部に水を排水するための貫通孔が複数穿設されていてもよ
い。
【００２２】
中敷単位体は、上方からの圧力によって撓むと歩行性や走行性が悪くなるので、撓みに
くくなるように、凸条の周囲に平坦部を有し、平坦部の端部に周壁部が立設されているの
が好ましい。
【００２３】
又、中敷単位体の側面同士を接続する方法は任意の方法が採用されてよいが、上記中敷
単位体の周囲の平坦部に、平面視で、突部と嵌合部が交互に形成されていると、隣り合う
中敷単位体の突部と嵌合部を嵌合して接続することにより、歩行性や走行性が優れてたも
のとなるので好ましい。
【００２４】
中敷部材は、複数の中敷単位体が、その側面同士が互いに接続されてなるが、隣り合う
中敷単位体に形成された凸条同士が互いに直交するように接続されていると、凸条同士が
互いに平行になるように接続されているより、歩行性や走行性が優れているので好ましい
。
【００２５】
特に、正方形の中敷単位体の隣り合う２辺に、お互いに嵌合しうる突部と嵌合部が交互
に形成されていると、４枚の中敷単位体を隣り合う中敷単位体に形成された凸条同士が互
いに直交するように接続して中敷部材が形成することができるので好ましい。又、４枚の
中敷単位体を同一の形状にすると、コンパクトに積み重ねて保管、輸送することができ好
ましい。
【００２６】
中敷部材及び中敷単位体の平面大きさは、コンテナ本体の収納部全体を覆うように収納
されるのが好ましく、且つ、中敷部材は４枚の中敷単位体が接続されて形成されるのが好
ましいので、中敷単位体は縦横共に２０ｃｍ〜４０ｃｍが好ましい。
【００２７】
上記コンテナ本体及び中敷部材の材料としては、特に限定されず、例えば、オレフィン
系樹脂、塩化ビニル系樹脂、ポリスチレン系樹脂、アクリル系樹脂、ＡＢＳ樹脂、フッ素
系樹脂、ポリカーボネート系樹脂、ポリエステル系樹脂、ポリアリレート系樹脂、エポキ
シ系樹脂、シリコン系樹脂、ポリイミド系樹脂等の熱可塑性樹脂、熱硬化性樹脂及び光硬
化性樹脂、金属、材木等が挙げられ、耐食性及び成形性に優れた熱可塑性樹脂が好ましく
、射出成形により成形されるのが好ましい。
【００２８】
本発明の植物栽培用コンテナは、コンテナ本体の収納部に中敷部材が収納されてなるが
、その上に土壌を充填し、この土壌に芝生等の植物を植え付け、水をまいて稙物を育成す
るのである。
【００２９】
コンテナ本体の底壁に排水口が設けられている場合には、水をまくと土壌が水に流され
て排出口から排出されるので、この場合は中敷部材と底壁の間に土壌流出防止用のフィル
ターが積層されているのが好ましい。
【００３０】
上記フィルターは、土壌の流出を防止し、水を流通しうる材料であればよく、例えば、
綿、スフ等の天然繊維、ポリエステル繊維、ナイロン繊維、ビニロン繊維、アクリル繊維
等の合成繊維、ガラス繊維、炭素繊維等の無機繊維等の繊維から製造された織布、不織布
、マット等が挙げられる。
【００３１】
広い場所に設置するには、本発明の植物栽培用コンテナを並べて施工すればよいし、排
水を屋上やベランダに流さないように、排水口に排水管を接続してもよい。更に、排水管
を給水設備に接続して、排水管から植物栽培用コンテナに給水してもよい。
【発明の効果】
【００３２】
本発明の植物栽培用コンテナの構成は上述の通りであるから、建築物の屋上やベランダ
に容易に設置し、植物を栽培することができ、補修も簡単である。又、その上を人が歩行
したり、車椅子で走行しても凹みが発生せず、歩行性及び車椅子の走行性がよい。
【発明を実施するための最良の形態】
【００３３】
以下、本発明を更に詳細に説明するために実施例をあげて説明するが、本発明は下記の
実施例に限定されるものではない。
【実施例】
【００３４】
次に、本発明の実施例を図面を参照して説明する。図１は本発明の植物栽培用コンテナ
の１例を示す断面図であり、図２は中敷部材の一例を示す平面図であり、図３は中敷単位
体の一例を示す平面図であり、図４は図３におけるＡ−Ａ断面図である。
【００３５】
図中１はコンテナ本体であり、正方形の底壁１１の周囲に側壁１２が垂設されて、上方
が開放されている容器状の収納部１３が形成されている。１４は側壁１２に上端部に形成
された、補強用のリブである。
【００３６】
底壁１１は周囲に段部１５が形成され、段部１５の内側から中心部が最も低くなるよう
に傾斜され、最低部に排水口１６が穿設され、排水管１７が連設されている。又、底壁１
１には、排水口１６と同心円状に排水口１６の近傍に排水用の貫通孔を多数有する円筒状
リブ１８が、段部１５と同じ高さに立設されている。更に、底壁１１の下面には角筒状の
脚部１９、１９が排水口１６に対し同心状に形成されている。
【００３７】
収納部１３には、底壁１１の段部１５及び円筒状リブ１８の上に、底壁１１側から支持
部材２、フィルター３及び中敷部材４が順次積層収納されている。
【００３８】
支持部材２は、フィルター３及び中敷部材４を支持するための部材であり、通水性を有
していればよく、例えば、金網、パンチングメタル、貫通孔の形成された合成樹脂板等で
ある。
【００３９】
中敷部材４は、４枚の同一形状の中敷単位体５、５・・がその側面同士が接続されて正
方形に形成されている。
【００４０】
中敷単位体５は、略正方形であり、その１辺に対し平行に４本の凸条５１、５１・・が
その間に谷部５２、５２・を介して形成されている。各凸条５１の頭部には平坦部５１１
が形成されており、平坦部５１１には通水のための貫通孔５１２・・・が多数一定間隔に
穿設されている。谷部５２にも通水のための貫通孔５２２・・・が多数一定間隔に穿設さ
れている。
【００４１】
図３において、右側の２個の凸条５１、５１及び左側の２個の凸条５１、５１は、それ
ぞれ２個の凸部５３、５３・・によって連設されている。即ち、凸部５３の側壁とその両
側の凸条５１の側壁とが一体的に形成されることにより、凸条５１、５１と凸部５３が連
設されている。凸部５３は平面視略長方形であり、頭部には平坦部５３１が形成され、平
坦部５３１には通水のための貫通孔５３２・・・が穿設されている。
【００４２】
又、中央の２個の凸条５１、５１は、一つの凸部５４の側壁とその両側の凸条５１の側
壁と一体的に形成されることにより、連設されている。凸部５４は平面視略正方形であり
、頭部には平坦部５４１が形成されている。
【００４３】
凸条５１の平坦部５１１、凸部５３の平坦部５３１及び凸部５４の平坦部５４１は略同
一高さになされており、上方から荷重がかかっても、荷重が分散し、凹みが発生しにくく
なっている。
【００４４】
又、凸条５１、５１・・の周囲には平坦部５５が形成され、平坦部５５の端部には中敷
単位体５の周囲を囲むように周壁部５６が立設され補強されている。
【００４５】
更に、中敷単位体５の隣り合う２辺の平坦部５５に、平面視で、突部５７と嵌合部５８
が交互に形成されている。
【００４６】
図２に示した中敷部材４は、図３に示した４枚の略正方形の中敷単位体５、５・・をそ
の突部５７と嵌合部５８を嵌合して接続したものであり、隣り合う中敷単位体５に形成さ
れた凸条５１同士が互いに直交するように接続されている。
【図面の簡単な説明】
【００４７】
【図１】本発明の植物栽培用コンテナの１例を示す断面図である。
【図２】中敷部材の一例を示す平面図である。
【図３】中敷単位体の一例を示す平面図である。
【図４】図３におけるＡ−Ａ断面図である。
【符号の説明】
【００４８】
１  コンテナ本体
１１  底壁
１２  側壁
１３  収納部
１５  段部
１６  排水口
１８  円筒状リブ
１９  脚部
２  支持部材
３  フィルター
４  中敷部材
５  中敷単位体
５１  凸条
５１１、５３１、５４１、５５  平坦部
５２  谷部
５１２、５２２、５３２  貫通孔
５３、５４  凸部
５６  周壁部
５７  突部
５８  嵌合部
【図１】
2005130749.tif 000003
【図２】
2005130749.tif 000004
【図３】
2005130749.tif 000005
【図４】
2005130749.tif 000006